【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
無線通信システムにおける端末の制御チャンネル情報を受信する方法であって、
第１制御チャンネルをモニタリングするためのリソース情報を含むＭＩＢ（Ｍａｓｔｅｒ  Ｉｎｆｏｒｍａｔｉｏｎ  Ｂｌｏｃｋ）を基地局から受信する段階と、
前記ＭＩＢに基づいて前記第１制御チャンネルをモニタリングするための第１リソースを確認する段階と、
前記確認された第１リソースから前記第１制御チャンネルをモニタリングしてシステム情報をデコーディングする段階と、
第２制御チャンネルをモニタリングのための時間情報及び周波数情報を含む制御チャンネル情報を無線リソース制御（ＲＲＣ）シグナリングに基づいて前記基地局から受信する段階と、
前記制御チャンネル情報に基づいて前記第２制御チャンネルをモニタリングするための第２リソースを確認する段階と、
前記確認された第２リソースから前記第２制御チャンネルをモニタリングしてデータをデコーディングする段階と、を有することを特徴とする端末の制御チャンネル情報を受信する方法。
【請求項２】
前記時間情報は、時間ドメインから前記第２制御チャンネルをモニタリングするための周期関連情報及びオフセット情報を含み、
前記周波数情報は、周波数ドメインから前記第２制御チャンネルをモニタリングするためのリソースブロック情報を含むことを特徴とする請求項１に記載の端末の制御チャンネル情報を受信する方法。
【請求項３】
前記第１制御チャンネル又は前記第２制御チャンネルのうちの少なくとも一つは、時間ドメインリソースの最初のシンボルから少なくとも一つのシンボルに位置することを特徴とする請求項１に記載の端末の制御チャンネル情報を受信する方法。
【請求項４】
システム帯域幅内の少なくとも一つのＢＷＰ（ｂａｎｄｗｉｄｔｈ  ｐａｒｔ）が前記端末に設定され、
各ＢＷＰの幅は、前記システム帯域幅よりも狭いか又は同じであり、
各ＢＷＰは、制御チャンネルを送信するための少なくとも一つの領域を含むことを特徴とする請求項１に記載の端末の制御チャンネル情報を受信する方法。
【請求項５】
無線通信システムにおける基地局の制御チャンネル情報を送信する方法であって、
第１制御チャンネルをモニタリングするためのシステム情報のデコーディングに関連するリソース情報を含むＭＩＢ（Ｍａｓｔｅｒ  Ｉｎｆｏｒｍａｔｉｏｎ  Ｂｌｏｃｋ）を端末に送信する段階と、
第２制御チャンネルをモニタリングするための時間情報及び周波数情報を含む制御チャンネル情報を生成する段階と、
前記制御チャンネル情報を無線リソース制御（ＲＲＣ）シグナリングに基づいて前記端末に送信する段階と、を有し、
前記第１制御チャンネルをモニタリングするための第１リソースは、前記ＭＩＢに基づいて確認され、前記確認された第１リソースの前記第１制御チャンネルは、システム情報をデコーディングするために端末によってモニタリングされ、
前記第２制御チャンネルをモニタリングするための第２リソースは、前記制御チャンネル情報に基づいて確認され、前記確認された第２リソースの前記第２制御チャンネルは、データをデコーディングするために端末によってモニタリングされることを特徴とする基地局の制御チャンネル情報を送信する方法。
【請求項６】
前記時間情報は、時間ドメインから前記第２制御チャンネルをモニタリングするための周期関連情報及びオフセット情報を含み、
前記周波数情報は、周波数ドメインから前記第２制御チャンネルをモニタリングするためのリソースブロック情報を含むことを特徴とする請求項５に記載の基地局の制御チャンネル情報を送信する方法。
【請求項７】
前記第１制御チャンネル又は前記第２制御チャンネルのうちの少なくとも一つは、時間ドメインリソースの最初のシンボルから少なくとも一つのシンボルに位置することを特徴とする請求項５に記載の基地局の制御チャンネル情報を送信する方法。
【請求項８】
システム帯域幅内の少なくとも一つのＢＷＰ（ｂａｎｄｗｉｄｔｈ  ｐａｒｔ）が前記端末に設定され、
各ＢＷＰの幅は、前記システム帯域幅よりも狭いか又は同じであり、
各ＢＷＰは、制御チャンネルを送信するための少なくとも一つの領域を含むことを特徴とする請求項５に記載の基地局の制御チャンネル情報を送信する方法
【請求項９】
無線通信システムにおける端末であって、
基地局と信号を送受信する送受信部と、
第１制御チャンネルをモニタリングするためのリソース情報を含むＭＩＢ（Ｍａｓｔｅｒ  Ｉｎｆｏｒｍａｔｉｏｎ  Ｂｌｏｃｋ）を基地局から受信し、前記ＭＩＢに基づいて前記第１制御チャンネルをモニタリングするための第１リソースを確認し、前記確認された第１リソースから前記第１制御チャンネルをモニタリングしてシステム情報をデコーディングし、第２制御チャンネルをモニタリングするための時間情報及び周波数情報を含む制御チャンネル情報を無線リソース制御（ＲＲＣ）シグナリングに基づいて前記基地局から受信し、前記制御チャンネル情報に基づいて前記第２制御チャンネルをモニタリングするための第２リソースを確認し、前記確認された第２リソースから前記第２制御チャンネルをモニタリングしてデータをデコーディングするように制御する制御部と、を備えることを特徴とする端末。
【請求項１０】
前記時間情報は、時間ドメインから前記第２制御チャンネルをモニタリングするための周期関連情報及びオフセット情報を含み、
前記周波数情報は、周波数ドメインから前記第２制御チャンネルをモニタリングするためのリソースブロック情報を含むことを特徴とする請求項９に記載の端末。
【請求項１１】
前記第１制御チャンネル又は前記第２制御チャンネルのうちの少なくとも一つは、時間ドメインリソースの最初のシンボルから少なくとも一つのシンボルに位置することを特徴とする請求項９に記載の端末。
【請求項１２】
システム帯域幅内の少なくとも一つのＢＷＰ（ｂａｎｄｗｉｄｔｈ  ｐａｒｔ）が前記端末に設定され、
各ＢＷＰの幅は、前記システム帯域幅よりも狭いか又は同じであり、
各ＢＷＰは、制御チャンネルを送信するための少なくとも一つの領域を含むことを特徴とする請求項９に記載の端末。
【請求項１３】
無線通信システムにおける基地局であって、
端末と信号を送受信する送受信部と、
第１制御チャンネルをモニタリングするためのシステム情報のデコーディングに関連するリソース情報を含むＭＩＢ（Ｍａｓｔｅｒ  Ｉｎｆｏｒｍａｔｉｏｎ  Ｂｌｏｃｋ）を端末に送信し、第２制御チャンネルをモニタリングするための時間情報及び周波数情報を含む制御チャンネル情報を生成し、前記制御チャンネル情報を無線リソース制御（ＲＲＣ）シグナリングに基づいて前記端末に送信するように制御する制御部と、を備え、
前記第１制御チャンネルをモニタリングするための第１リソースは、前記ＭＩＢに基づいて確認され、前記確認された第１リソースの前記第１制御チャンネルは、システム情報をデコーディングするために端末によってモニタリングされ、前記第２制御チャンネルをモニタリングするための第２リソースは、前記制御チャンネル情報に基づいて確認され、前記確認された第２リソースの前記第２制御チャンネルは、データをデコーディングするために端末によってモニタリングされることを特徴とする基地局。
【請求項１４】
前記時間情報は、時間ドメインから前記第２制御チャンネルをモニタリングするための周期関連情報及びオフセット情報を含み、前記周波数情報は、周波数ドメインから前記第２制御チャンネルをモニタリングするためのリソースブロック情報を含むことを特徴とする請求項１３に記載の基地局。
【請求項１５】
前記第１制御チャンネル又は前記第２制御チャンネルのうち少なくとも一つは、時間ドメインリソースの最初のシンボルから少なくとも一つのシンボルに位置することを特徴とする請求項１３に記載の基地局。
【請求項１６】
システム帯域幅内の少なくとも一つのＢＷＰ（ｂａｎｄｗｉｄｔｈ  ｐａｒｔ）が前記端末に設定され、
前記各ＢＷＰの幅は、前記システム帯域幅より狭い又は同じであり、
前記各ＢＷＰは、前記制御チャンネルを送信するための少なくとも一つの領域を含むことを特徴とする請求項１３に記載の基地局。